(57)【特許請求の範囲】
【請求項１】
エンジンの排気通路に介装され、アンモニアを還元剤として排気中のＮＯｘを選択還元するアンモニア選択還元型ＮＯｘ触媒と、
尿素水を貯留する尿素水タンクと、
上記排気通路に設けられ、上記尿素水タンクから供給された尿素水の一部を、上記アンモニア選択還元型ＮＯｘ触媒の上流側の排気中に噴射すると共に、上記尿素水の残部を上記尿素水タンクに戻す尿素水インジェクタとを備え、
上記尿素水タンクは、
上記尿素水タンクを形成する壁部のうち、少なくとも上下方向に設けられる壁部の一部を、上記尿素水タンクの外殻となる第１壁部と、上記第１壁部の内側に設けられた第２壁部とからなる二重壁構造とし、
上記尿素水インジェクタから戻った尿素水を、上記二重壁構造をなして上記第１壁部と上記第２壁部との間に形成された第１収容部に流入させる流入部と、
上記第２壁部を挟んで上記第１収容部とは反対側に形成された第２収容部内に上記第１収容部内の尿素水を流入させる連通部と、
上記尿素水インジェクタに供給される尿素水を上記第２収容部から流出させる流出部と
を備えることを特徴とする排気浄化装置。
【請求項２】
上記連通部は、上記第１収容部内の尿素水の水位が所定レベルを超えると、上記第１収容部から上記第２収容部に尿素水を流入させることを特徴とする請求項１に記載の排気浄化装置。
【請求項３】
上記連通部は、上記第１収容部の下端側となる第１位置で上記第１収容部と連通すると共に、上記第１位置よりも上方に位置する第２位置で上記第２収容部と連通していることを特徴とする請求項２に記載の排気浄化装置。
【請求項４】
上記連通部は、
上記第２収容部内にある上記第２壁部の壁面の一部をカバー部材で覆うことにより、上記第２収容部の底面を起点とする通路状に形成されて上方に延設され、上記第２壁部の上端より低い位置となる上記第２位置で上記第２収容部内に開口する連通路と、
上記連通路を形成する上記第２壁部に形成され、上記第２位置より低い上記第１位置で開口して上記第１収容部と上記連通路内とを連通させる連通孔と
を備えることを特徴とする請求項３に記載の排気浄化装置。
【請求項５】
上記第２収容部は上端が開口すると共に上下方向に延びる角部を有した箱状をなし、
上記連通部は、上記角部を上記第２収容部の底面から上記第２位置にかけて平板状のカバー部材で覆うことにより形成されることを特徴とする請求項４に記載の排気浄化装置。
【請求項６】
上記連通部は、
上記第１収容部内にある上記第２壁部の壁面の一部を用いて上下方向に延びる通路状に形成され、上記第１収容部の下端側となる上記第１位置で上記第１収容部内に開口する連通路と、
上記連通路を形成する上記第２壁部に設けられ、上記第１位置より高い上記第２位置で開口して上記第２収容部と上記連通路内とを連通する開口部と
を備えることを特徴とする請求項３に記載の排気浄化装置。
【請求項７】
上記連通路は、上記第１壁部の壁面と上記第２壁部の壁面との間に互いに離間して掛け渡された２つの仕切部材で上記第１収容部を仕切ることにより形成され、上記仕切部材の少なくとも一方の下端が上記第１収容部の底面より上方に位置することにより上記第１位置で開口しており、
上記第２収容部は上端が開口した箱状に形成されており、
上記開口部は、上記連通路を形成する上記第２壁部の上端を切り欠いて形成される
ことを特徴とする請求項６に記載の排気浄化装置。
【請求項８】
上記第２収容部は、上端が開口した箱状に形成されており、
上記連通部は、上記第２壁部の上端に形成された切欠である
ことを特徴とする請求項２に記載の排気浄化装置。
【請求項９】
上記第２収容部は、上端が開口した箱状に形成されており、
上記連通部は、上記第２壁部の上端部である
ことを特徴とする請求項２に記載の排気浄化装置。
【発明の詳細な説明】
【技術分野】
【０００１】
本発明はエンジンの排気を浄化する排気浄化装置に関し、特にアンモニア選択還元型ＮＯｘ触媒にアンモニアを供給するための尿素水を貯留する尿素水タンクを備えた排気浄化装置に関する。
【背景技術】
【０００２】
エンジンの排気中に含まれる汚染物質の１つであるＮＯｘ（窒素酸化物）を浄化するための排気浄化装置として、エンジンの排気通路にアンモニア選択還元型ＮＯｘ触媒を配設し、還元剤としてアンモニアをアンモニア選択還元型ＮＯｘ触媒に供給することにより、ＮＯｘを還元して排気を浄化するようにした排気浄化装置が知られている。
このような排気浄化装置では、アンモニアをアンモニア選択還元型ＮＯｘ触媒に供給するために、アンモニアに比べて取り扱いが容易な尿素水を排気中に供給するのが一般的である。そして、排気中への尿素水の供給方式には、尿素水を圧縮空気と共に噴射する、いわゆるエアアシスト方式と、圧縮空気を用いずに尿素水のみを噴射する、いわゆるエアレス方式とがある。
【０００３】
後者のエアレス方式の場合、排気中への尿素水の供給量を調整するためのソレノイドバルブと、実際に尿素水が噴射されるノズルとの間の距離が長いと、ソレノイドバルブを閉じた後にソレノイドバルブとノズルとの間に残留する尿素水が固化して目詰まりを生じる可能性があるため、ソレノイドバルブとノズルとを一体化した尿素水インジェクタが用いられる。従って、ソレノイドバルブとノズルとを一体化した尿素水インジェクタにおいては、ソレノイドバルブ用の駆動ソレノイドが尿素水インジェクタに組み込まれている。
【０００４】
尿素水インジェクタは尿素水を排気中に噴射するために、排気の熱によって高温となる排気通路に装着されるが、駆動ソレノイドの温度が過度に上昇した場合、絶縁不良や焼き付きなどの問題が生じるおそれがある。そこで、駆動ソレノイドの温度が過剰に上昇するのを防止するため、尿素水インジェクタに供給された尿素水の一部を排気中に噴射すると共に、供給された尿素水の残部で尿素水インジェクタを冷却するようにした冷却機構付尿素水インジェクタが開発されている。このような冷却機構付尿素水インジェクタを用いた排気浄化装置においては、尿素水インジェクタの冷却に使用された尿素水が、尿素水を貯留するための尿素水タンクに戻されるようになっている。
【０００５】
一方、尿素水を貯留する尿素水タンクとしては、例えば特許文献１に示されているようなものが知られており、単純な密閉された箱状の尿素水タンク内に尿素水が貯留されるようになっている。
【特許文献１】特開２００５−３３７１１２号公報
【発明の開示】
【発明が解決しようとする課題】
【０００６】
ところが、上述した冷却機構付尿素水インジェクタを用いて、尿素水タンクから供給された尿素水を排気中に噴射するようにした場合、尿素水インジェクタの冷却に使用されて温度の上昇した尿素水が尿素水タンクに戻されるため、尿素水タンク内の尿素水の温度は徐々に上昇していくことになる。一方、尿素水の消費が進むことにより、尿素水タンク内に残留する尿素水の量が減少していくが、尿素水タンク内の尿素水の水位低下に伴って尿素水タンク壁面からの放熱量が減少していくことになる。このため、上記特許文献１に示されるような尿素水タンクを用いていて尿素水タンク内の尿素水が減少した場合、上述のように温度の上昇した尿素水が尿素水タンクに戻されると、尿素水タンク内の尿素水の温度が過度に上昇する可能性がある。
【０００７】
特に、アンモニア選択還元型ＮＯｘ触媒の上流側に、排気中のパティキュレートを捕集するパティキュレートフィルタを配設している排気浄化装置の場合、パティキュレートフィルタの強制再生を行う場合にアンモニア選択還元型ＮＯｘ触媒に流入する排気の温度が６００℃前後まで上昇するため、高温の排気の熱を受けた尿素水が尿素水タンクに戻されることによって尿素水タンク内の尿素水の温度が過度に上昇しやすくなる。
【０００８】
このようにして尿素水タンク内の尿素水の温度が過度に上昇すると、尿素水インジェクタを効果的に冷却できなくなるという問題が生じる。
また、このような問題の発生を回避するため、尿素水を補充して尿素水タンク内の尿素水の水位を常に高く保つようにすると、頻繁に尿素水を補給しなければならなくなるという問題が生じる。
【０００９】
本発明はこのような課題に鑑みてなされたものであり、その目的とするところは、尿素水タンク内の尿素水の過度な温度上昇を防止することが可能な排気浄化装置を提供することにある。
【課題を解決するための手段】
【００１０】
上記目的を達成するため、本発明の排気浄化装置は、エンジンの排気通路に介装され、アンモニアを還元剤として排気中のＮＯｘを選択還元するアンモニア選択還元型ＮＯｘ触媒と、尿素水を貯留する尿素水タンクと、上記排気通路に設けられ、上記尿素水タンクから供給された尿素水の一部を、上記アンモニア選択還元型ＮＯｘ触媒の上流側の排気中に噴射すると共に、上記尿素水の残部を上記尿素水タンクに戻す尿素水インジェクタとを備え、上記尿素水タンクは、上記尿素水タンクを形成する壁部のうち、少なくとも上下方向に設けられる壁部の一部を、上記尿素水タンクの外殻となる第１壁部と、上記第１壁部の内側に設けられた第２壁部とからなる二重壁構造とし、上記尿素水インジェクタから戻った尿素水を、上記二重壁構造をなして上記第１壁部と上記第２壁部との間に形成された第１収容部に流入させる流入部と、上記第２壁部を挟んで上記第１収容部とは反対側に形成された第２収容部内に上記第１収容部内の尿素水を流入させる連通部と、上記尿素水インジェクタに供給される尿素水を上記第２収容部から流出させる流出部とを備えることを特徴とする（請求項１）。
【００１１】
このように構成された排気浄化装置によれば、尿素水タンクから供給された尿素水は、その一部が尿素水インジェクタからアンモニア選択還元型ＮＯｘ触媒の上流側の排気中に供給される。排気中に供給された尿素水が排気の熱によって加水分解することによりアンモニアが生成され、生成されたアンモニアは還元剤としてアンモニア選択還元型ＮＯｘ触媒に供給され、排気中のＮＯｘの還元に使用される。一方、尿素水タンクから供給された尿素水の残部は、尿素水インジェクタを冷却した後に尿素水タンクに戻される。
【００１２】
尿素水インジェクタから尿素水タンクに戻された尿素水は、流入部を通り、尿素水タンクの二重壁構造をなす第１壁部と第２壁部との間に形成された第１収容部内に流入する。こうして第１収容部内に一旦流入した尿素水は、連通部を介し第２収容部内に流入する。そして、第２収容部内の尿素水は、再び流出部から流出して尿素水インジェクタに供給される。
【００１３】
また、上記排気浄化装置において、上記連通部は、上記第１収容部内の尿素水の水位が所定レベルを超えると、上記第１収容部から上記第２収容部に尿素水を流入させることを特徴とする（請求項２）。
このように構成された排気浄化装置によれば、尿素水インジェクタから戻された尿素水が第１収容部内に流入し、第１収容部内の尿素水の水位が所定レベルを超えると、連通部によって第１収容部内の尿素水が第２収容部に流入する。
【００１４】
具体的には、このような排気浄化装置において、上記連通部は、上記第１収容部の下端側となる第１位置で上記第１収容部と連通すると共に、上記第１位置よりも上方に位置する第２位置で上記第２収容部と連通していることを特徴とする（請求項３）。
このように構成された排気浄化装置によれば、第１収容部の下端側となる第１位置で第１収容部と連通部とが連通しているので、尿素水インジェクタから尿素水が戻されることによって第１収容部内における尿素水の水位が上昇するのに伴い、第１位置において尿素水が連通部内にも流入し、第１収容部内と同様に連通部内における尿素水の水位が上昇していく。そして、連通部内における尿素水の水位が上昇して第２位置に達し、更に第１収容部内に尿素水が流入すると、連通部内の尿素水が第２収容部内に流入する。
【００１５】
より具体的には、このような排気浄化装置において、上記連通部は、上記第２収容部内にある上記第２壁部の壁面の一部をカバー部材で覆うことにより、上記第２収容部の底面を起点とする通路状に形成されて上方に延設され、上記第２壁部の上端より低い位置となる上記第２位置で上記第２収容部内に開口する連通路と、上記連通路を形成する上記第２壁部に形成され、上記第２位置より低い上記第１位置で開口して上記第１収容部と上記連通路内とを連通させる連通孔とを備えることを特徴とする（請求項４）。
【００１６】
このように構成された排気浄化装置によれば、第２収容部内にある第２壁部の壁面の一部を利用してカバー部材で覆うことにより通路状に形成されて第２位置で第２収容部内に開口する連通路と、連通路を形成する第２壁部の第１位置で開口して第１収容部と連通路内とを連通させる連通孔とにより連通部が構成される。
更に具体的には、このような排気浄化装置において、上記第２収容部は上端が開口すると共に上下方向に延びる角部を有した箱状をなし、上記連通部は、上記角部を上記第２収容部の底面から上記第２位置にかけて平板状のカバー部材で覆うことにより形成されることを特徴とする（請求項５）。
【００１７】
このように構成された排気浄化装置によれば、第２収容部は上端が開口すると共に上下方向に延びる角部を有した箱状をなしており、第２収容部の角部を利用して平板状のカバー部材で覆うことにより連通路が形成される。
或いは、上記第１収容部の下端側となる第１位置で上記第１収容部と連通すると共に、上記第１位置よりも上方に位置する第２位置で上記第２収容部と連通する連通部を備えた排気浄化装置として具体的には、上記連通部は、上記第１収容部内にある上記第２壁部の壁面の一部を用いて上下方向に延びる通路状に形成され、上記第１収容部の下端側となる上記第１位置で上記第１収容部内に開口する連通路と、上記連通路を形成する上記第２壁部に設けられ、上記第１位置より高い上記第２位置で開口して上記第２収容部と上記連通路内とを連通する開口部とを備えることを特徴とする（請求項６）。
【００１８】
このように構成された排気浄化装置によれば、第１収容部内にある第２壁部の壁面の一部を利用して通路状に形成され、第１位置で第１収容部内に開口する連通路と、連通路を形成する第２壁部の第２位置で開口して第２収容部と連通路内とを連通させる開口部とにより連通部が構成される。
より具体的には、このような排気浄化装置において、上記連通路は、上記第１壁部の壁面と上記第２壁部の壁面との間に互いに離間して掛け渡された２つの仕切部材で上記第１収容部を仕切ることにより形成され、上記仕切部材の少なくとも一方の下端が上記第１収容部の底面より上方に位置することにより上記第１位置で開口しており、上記第２収容部は上端が開口した箱状に形成されており、上記開口部は、上記連通路を形成する上記第２壁部の上端を切り欠いて形成されることを特徴とする（請求項７）。
【００１９】
このように構成された排気浄化装置によれば、連通路は第１壁部の内側壁面と第２壁部の外側壁面との間に互いに離間して掛け渡された２つの仕切部材で第１収容部を仕切ることにより形成される。そして、仕切部材の少なくとも一方の下端が第１収容部の底面より上方に位置することにより第１位置で開口している。第２収容部は上端が開口した箱状をなして形成されており、連通路を形成する第２壁部の上端を切り欠くことにより、開口部が形成される。
【００２０】
或いは、上記第１収容部内の尿素水の水位が所定レベルを超えると上記第１収容部から上記第２収容部に尿素水を流入させる連通部を備えた排気浄化装置として具体的には、上記第２収容部は、上端が開口した箱状に形成されており、上記連通部は、上記第２壁部の上端に形成された切欠であることを特徴とする（請求項８）。
このように構成された排気浄化装置によれば、尿素水インジェクタから尿素水が戻されることによって第１収容部内における尿素水の水位が上昇し、第２壁部の上端に形成された切欠に達すると、更なる第１収容部内への尿素水の流入に伴い、第１収容部内の尿素水が、第１収容部を形成する第２壁部の上端に形成された切欠を介して第２収容部内に流入する。
【００２１】
或いは、上記第１収容部内の尿素水の水位が所定レベルを超えると上記第１収容部から上記第２収容部に尿素水を流入させる連通部を備えた排気浄化装置として具体的には、上記第２収容部は、上端が開口した箱状に形成されており、上記連通部は、上記第２壁部の上端部であることを特徴とする（請求項９）。
このように構成された排気浄化装置によれば、尿素水インジェクタから尿素水が戻されることによって第１収容部内における尿素水の水位が上昇し、第２壁部の上端に達すると、更なる第１収容部内への尿素水の流入に伴い、第１収容部内の尿素水が第１収容部を形成する第２壁部の上端から第２収容部内に流入する。
【発明の効果】
【００２２】
本発明の排気浄化装置によれば、尿素水インジェクタから尿素水タンクに戻された尿素水は、尿素水タンクの二重壁構造をなす第１壁部と第２壁部との間に形成された第１収容部内に一旦流入した後、連通部によって、第２壁部を挟んで第１収容部とは反対側に形成された第２収容部内に流入する。従って、尿素水インジェクタから尿素水タンクに戻された尿素水が第１収容部内に流入してから第２収容部内に流入するまでの間に、外気と接触している第１壁部を介して尿素水からの放熱が行われ、尿素水の温度を効果的に低下させることができる。この結果、尿素水タンク内の尿素水の量が減少したとしても、尿素水タンク内における尿素水の過度の温度上昇を防止することが可能となり、尿素水インジェクタの冷却を効果的に行うことができる。また、尿素水タンク内の尿素水の温度上昇を抑制するべく尿素水の水位が低下する前に頻繁に尿素水を補充する必要がなくなる。
【００２３】
また、請求項２乃至９の排気浄化装置によれば、第１収容部内の尿素水の水位が所定レベルを超えるまでは、連通部によって第１収容部内の尿素水が第２収容部に流入しないので、尿素水タンク内に貯留されている尿素水の全体量が比較的少ない場合であっても、第１収容部内の尿素水の水位が高く維持された後に第１収容部内の尿素水が第２収容部に流入することになる。従って、尿素水と第１壁部との接触面積が大きく確保された状態を長く維持することができ、外気と接触している第１壁部を介した尿素水からの放熱により、尿素水の冷却をより一層効果的に行うことができる。
【００２４】
特に請求項３のように構成された排気浄化装置の場合には、上記連通部は、第１収容部の下端側となる第１位置で第１収容部と連通すると共に、第１位置よりも上方に位置する第２位置で第２収容部と連通する連通部を設けるだけでよく、連通部を簡単な構造としながら、このような効果を得ることができる。
また、特に請求項４や請求項５のように構成された排気浄化装置の場合には、第２壁部の一部とカバー部材とにより連通部が構成されるので、第１収容部内の尿素水の水位に応じて第１収容部から第２収容部に尿素水を流入させるために配管などを行う必要がなく、連通部をより一層簡単な構造としながら、上述したように、第１収容部内の尿素水の水位を高くして尿素水と第１壁部との接触面積が大きく確保された状態を長く維持し、尿素水の冷却を効率よく行うことができるという効果を得ることができる。
【００２５】
特に請求項５のように構成された排気浄化装置の場合には、第２収容部の角部を利用して平板状のカバー部材で覆うことにより、連通路が形成されるので、連通部を極めて簡単な構造としながら、上述したように、第１収容部内の尿素水の水位を高くして尿素水と第１壁部との接触面積が大きく確保された状態を長く維持し、尿素水の冷却を効率よく行うことができるという効果を得ることができる。
【００２６】
また、特に請求項６や請求項７のように構成された排気浄化装置の場合には、第２壁部の一部を用いて連通部が構成されるので、第１収容部内の尿素水の水位に応じて第１収容部から第２収容部に尿素水を流入させるために配管などを行う必要がなく、連通部をより一層簡単な構造としながら、上述したように、第１収容部内の尿素水の水位を高くして尿素水と第１壁部との接触面積が大きく確保された状態を長く維持し、尿素水の冷却を効率よく行うことができるという効果を得ることができる。
【００２７】
特に請求項７のように構成された排気浄化装置の場合には、第１壁部及び第２壁部の一部と２つの仕切部材とを用いて連通部を形成するので、連通部を極めて簡単な構造としながら、上述したように第１収容部内の尿素水の水位を高くして尿素水と第１壁部との接触面積が大きく確保された状態を長く維持し、尿素水の冷却を効率よく行うことができるという効果を得ることができる。
【００２８】
また、請求項８のように構成された排気浄化装置によれば、第１収容部内の尿素水の水位が第２壁部の切欠に達するまでは、第１収容部内の尿素水が第２収容部に流入しないので、尿素水タンク内に貯留される尿素水の量が比較的少ない場合であっても、第１収容部内の尿素水の水位が高く維持された後に第１収容部内の尿素水が第２収容部に流入することになる。従って、尿素水と第１壁部との接触面積を大きく確保することができ、外気と接触している第１壁部を介した尿素水からの放熱により、尿素水の冷却をより一層効果的に行うことができる。
【００２９】
しかも、このような効果は、第２収容部を上端が開口した箱状に形成すると共に、第１収容部を形成する第２壁部の上端に切欠を形成するだけの極めて簡単な構造により得ることが可能であるばかりでなく、第１収容部内の尿素水の水位に応じて第１収容部から第２収容部に尿素水流入させるための連通路を設ける必要がなく、尿素水タンク内の限られた空間を有効に活用することができる。
【００３０】
また、請求項９のように構成された排気浄化装置によれば、第１収容部内の尿素水の水位が第１収容部を形成する第２壁部の上端に達するまでは、第１収容部内の尿素水が第２収容部に流入しないので、尿素水タンク内に貯留される尿素水の量が比較的少ない場合であっても、第１収容部内の尿素水の水位が高く維持された後に第１収容部内の尿素水が第２収容部に流入することになる。従って、尿素水と第１壁部との接触面積を大きく確保することができ、外気と接触している第１壁部を介した尿素水からの放熱により、尿素水の冷却をより一層効果的に行うことができる。
【００３１】
しかも、このような効果は、第２収容部を上端が開口した箱状に形成するだけの極めて簡単な構造により得ることが可能であるばかりでなく、第１収容部内の尿素水の水位に応じて第１収容部から第２収容部に尿素水流入させるための連通路を設ける必要がなく、尿素水タンク内の限られた空間を有効に活用することができる。
【発明を実施するための最良の形態】
【００３２】
以下、図面に基づき本発明の実施形態について説明する。
図１は、本発明の実施形態に係る排気浄化装置が適用された４気筒のディーゼルエンジン（以下、エンジンという）の全体構成図を示しており、図１に基づき本発明に係る排気浄化装置の構成を説明する。
エンジン１は各気筒共通の高圧蓄圧室（以下コモンレールという）２を備えており、図示しない燃料噴射ポンプから供給されてコモンレール２に蓄えられた高圧の燃料を、各気筒に設けられたインジェクタ４に供給し、各インジェクタ４からそれぞれの気筒内に燃料が噴射される。
【００３３】
吸気通路６にはターボチャージャ８が装備されており、図示しないエアクリーナから吸入された吸気は、吸気通路６からターボチャージャ８のコンプレッサ８ａへと流入し、コンプレッサ８ａで過給された吸気はインタークーラ１０及び吸気制御弁１２を介して吸気マニホールド１４に導入される。また、吸気通路６のコンプレッサ８ａより上流側には、エンジン１への吸入空気流量を検出するための吸気量センサ１６が設けられている。
【００３４】
一方、エンジン１の各気筒から排気が排出される排気ポート（図示せず）は、排気マニホールド１８を介して排気管２０に接続されている。なお、排気マニホールド１８と吸気マニホールド１４との間には、ＥＧＲ弁２２を介して排気マニホールド１８と吸気マニホールド１４とを連通するＥＧＲ通路２４が設けられている。
排気管２０はターボチャージャ８のタービン８ｂを経た後、排気絞り弁２６を介して排気後処理装置２８に接続されている。また、タービン８ｂの回転軸はコンプレッサ８ａの回転軸と連結されており、タービン８ｂが排気管２０内を流動する排気を受けてコンプレッサ８ａを駆動するようになっている。
【００３５】
排気後処理装置２８は、上流側ケーシング３０と、上流側ケーシング３０の下流側に排気連通路３２で連通された下流側ケーシング３４とで構成されており、本実施形態では上流側ケーシング３０、排気連通路３２及び下流側ケーシング３４が本発明の排気通路に相当する。
上流側ケーシング３０内には、前段酸化触媒３６が収容されると共に、この前段酸化触媒３６の下流側にはパティキュレートフィルタ（以下フィルタという）３８が収容されている。フィルタ３８は、排気中のパティキュレートを捕集することによりエンジン１の排気を浄化するために設けられる。また前段酸化触媒３６は、排気中のＮＯ（一酸化窒素）を酸化させてＮＯ２（二酸化窒素）を生成するので、このように前段酸化触媒３６とフィルタ３８とを配置することにより、フィルタ３８に捕集されて堆積しているパティキュレートは、前段酸化触媒３６から供給されたＮＯ２と反応して酸化し、フィルタ３８の連続再生が行われるようになっている。
【００３６】
一方、下流側ケーシング３４内には、アンモニアを吸着し、吸着したアンモニアを還元剤として排気中のＮＯｘ（窒素酸化物）を選択還元して排気を浄化するアンモニア選択還元型ＮＯｘ触媒（以下ＳＣＲ触媒という）４０が収容されると共に、このＳＣＲ触媒４０の下流側にはＳＣＲ触媒４０から流出したアンモニアを除去するための後段酸化触媒４２が収容されている。この後段酸化触媒４２は、フィルタ３８の強制再生でパティキュレートが焼却される際に発生するＣＯ（一酸化炭素）を酸化し、ＣＯ２（二酸化炭素）として大気中に排出する機能も有している。
【００３７】
また、排気連通路３２には、排気連通路３２内の排気中に尿素水を噴射供給する尿素水インジェクタ４４が設けられている。この尿素水インジェクタ４４は、バルブ機構（図示せず）の開閉によって尿素水の噴射を行うものであり、このバルブ機構の開閉を行うための駆動用ソレノイド（図示せず）が組み込まれている。尿素水インジェクタ４４は、供給された尿素水の一部をバルブ機構の開閉によって排気中に噴射すると共に残部を冷却に用い、尿素水インジェクタ４４の駆動用ソレノイドなどの温度が排気の熱を受けて過剰に上昇しないようにしている。なお、このような尿素水インジェクタ４４は既に知られているので、ここではその詳細な構成についての説明を省略する。
【００３８】
尿素水インジェクタ４４は、尿素水供給パイプ４６及び尿素水リターンパイプ４８によって尿素水タンク５０と接続されており、尿素水供給パイプ４６に介装された尿素水供給ポンプ５２により、尿素水タンク５０に貯留されている尿素水が尿素水供給パイプ４６を通って尿素水インジェクタ４４に供給される。尿素水インジェクタ４４に供給された尿素水の一部は、上述したように尿素水インジェクタ４４に設けられた駆動用ソレノイドを駆動してバルブ機構の開閉を行うことにより、排気連通路３２内の排気中に噴射される。一方、尿素水インジェクタ４４に供給された尿素水の残部は、尿素水インジェクタ４４を冷却した後、尿素水リターンパイプ４８を介して尿素水タンク５０に戻される。
【００３９】
尿素水インジェクタ４４から噴射された霧状の尿素水は、排気の熱により加水分解してアンモニアとなり、ＳＣＲ触媒４０に供給される。ＳＣＲ触媒４０は供給されたアンモニアを吸着し、吸着したアンモニアと排気中のＮＯｘとの脱硝反応を促進することにより、ＮＯｘを浄化して無害なＮ２とする。なお、このとき、アンモニアがＮＯｘと反応せずにＳＣＲ触媒４０から流出した場合には、このアンモニアが後段酸化触媒４２によって除去されるようになっている。
【００４０】
また、尿素水インジェクタ４４の冷却に用いられた尿素水は、尿素水インジェクタ４４から奪った熱によって温度が上昇しており、この尿素水が尿素水タンク５０に戻されることにより、尿素水タンク５０内の尿素水の温度も徐々に上昇していく。特に、フィルタ３８に堆積したパティキュレートを除去するためにフィルタ３８の強制再生を行う際には、フィルタ３８から流出してＳＣＲ触媒４０に流入する排気の温度が６００℃前後まで上昇するため、尿素水タンク５０内の尿素水の温度も、フィルタ３８の強制再生が行われない場合に比べて大きく上昇する。
【００４１】
尿素水タンク５０内の尿素水の温度が過度に上昇すると、尿素水インジェクタ４４を効果的に冷却することができなくなるおそれがある。このため本実施形態では、排気の熱によって温度の上昇した尿素水が尿素水タンク５０に戻されても、尿素水タンク５０内の尿素水温度が所定温度を上回ることのないように尿素水タンク５０が構成されている。
以下では、このような尿素水タンク５０を、本発明の第１乃至第４実施形態として順に説明する。なお、各実施形態では尿素水タンク５０の内部構造のみが相違しており、図１に示された排気浄化装置をはじめとする各構成は各実施形態に共通している。そこで、尿素水タンク５０を除き、図１に示される構成については共通の符号を用いるものとし、図１に示される尿素水タンク５０の各実施形態における符号については、各実施形態に対応した符号に置き換えて説明する。
【００４２】
まず、図１における尿素水タンク５０として、図２乃至図５に基づき、本発明の第１実施形態に係る排気浄化装置の尿素水タンク１５０について説明する。
図２は第１実施形態における尿素水タンク１５０の一部を切り欠いて示す概略構成図、図３は図２中のIII−III線に沿う尿素水タンク１５０の断面図、図４は図３中のIV−IV線に沿う尿素水タンク１５０の断面図である。
【００４３】
図２乃至図４に示されるように、尿素水タンク１５０は、尿素水タンク１５０の外殻となる第１壁部１０２によって閉鎖された箱状に形成され、内部に尿素水を貯留するための空間が設けられている。第１壁部１０２の内側には、図３及び図４に示されるように尿素水タンク１５０の底面から筒状の第２壁部１０４が立設されており、尿素水タンク１５０の壁部のうち上下方向に延びる側壁部分が、第１壁部１０２と第２壁部１０４とによって二重壁構造となっている。このように第１壁部１０２の内側に第２壁部１０４を設けることにより、二重壁構造をなす第１壁部１０２と第２壁部１０４との間に尿素水１０６を収容するための第１収容部１０８が形成されると共に、第２壁部１０４を挟んで第１収容部１０８とは反対側となる第２壁部１０４の内側に尿素水１１０を収容するための第２収容部１１２が形成されている。図４に示されるように、第２壁部１０４の上端は尿素水タンク１５０の上面より低い位置にあり、第２収容部１１２は上端が開口した箱状をなしている。
【００４４】
図４に示されるように、尿素水タンク１５０の上面には、第２収容部１１２の上方となる位置に、尿素水タンク１５０内に尿素水を補充するための注入口１１４が設けられている。この注入口１１４には、尿素水タンク１５０の内圧を大気圧に維持するための通気機構（図示せず）を有して注入口１１４を塞ぐキャップ１１６が装着されている。
また、尿素水タンク１５０の上面における第１収容部１０８の上方となる位置には、尿素水リターンパイプ４８が接続されたリターンポート（流入部）１１８が設けられ、尿素水インジェクタ４４の冷却に使用された尿素水が、尿素水リターンパイプ４８を通り、リターンポート１１８から尿素水タンク１５０の第１収容部１０８内に流入するようになっている。
【００４５】
一方、尿素水タンク１５０の底面のうち、第１収容部１０８の底面となる部分には、図２乃至図４に示されるように、第１ドレインポート１２０が設けられている。第１ドレインポート１２０は、第１収容部１０８内のゴミを除去するために使用され、第１ドレインコック１２２によって開閉できるようになっている。なお、ゴミの除去などで第１ドレインポート１２０を使用する場合を除き、通常の使用状態において第１ドレインコック１２２は閉じられている。
【００４６】
更に、尿素水タンク１５０の底面のうち第２収容部１１２の底面となる部分には、図２乃至図４に示されるように、サクションポート（流出部）１２４及び第２ドレインポート１２６が設けられている。サクションポート１２４には尿素水供給パイプ４６が接続されており、第２収容部１１２内の尿素水１１０は、サクションポート１２４から流出した後に、尿素水供給ポンプ５２により尿素水供給パイプ４６を通って尿素水インジェクタ４４に供給される。また、第２ドレインポート１２６は、第２収容部１１２内のゴミを除去するために使用され、第２ドレインコック１２８によって開閉できるようになっている。なお、ゴミの除去などで第２ドレインポート１２６を使用する場合を除き、通常の使用状態において第２ドレインコック１２８は閉じられている。
【００４７】
図３に示されるように、第２収容部１１２には上下方向に延びる４つの角部が第２壁部１０４によって形成されており、これら４つの角部のうちの１つには、平板状のカバー部材１３０がこの角部を覆うようにして取り付けられている。カバー部材１３０は、図４に示されるように第２収容部１１２の底面を基点として上方に延設されており、カバー部材１３０と角部を形成する第２壁部１０４とによって通路（連通路）１３２が形成されている。
【００４８】
図５は、尿素水タンク１５０の第２壁部１０４及びカバー部材１３０のみを取り出して示す斜視図であるが、図４及び図５に示されるように、カバー部材１３０の上端が第２壁部１０４の上端、即ち第２収容部１１２の上端より低い位置にあることにより、通路１３２は上端が第２壁部１１２の上端より低い位置（第２位置）で第２収容部１１２内に開口し、第２収容部１１２と連通している。
【００４９】
一方、図２、図４及び図５に示されるように、カバー部材１３０と共に通路１３２を形成している第２壁部１０４の角部の下端部が、カバー部材１３０と第２壁部１０４との２つの結合部分の間で切り欠かれることにより、連通孔１３４が設けられている。このように第２壁部１０４を切り欠いて連通孔１３４を設けることにより、通路１３２がその下端となる位置（第１位置）で第１収容部１０８に連通している。従って、通路１３２は第１収容部１０８と第２収容部１１２と連通する連通路となる。
【００５０】
このように構成された尿素水タンク１５０において、尿素水インジェクタ４４から尿素水リターンパイプ４８を介して尿素水タンク１５０に戻された尿素水は、リターンポート１１８から第１収容部１０８内に流入する。このとき、通路１３２はその下端に設けられた連通孔１３４を介して第１収容部１０８と連通しているので、第１収容部１０８内の尿素水１０６の水位と、通路１３２内の尿素水１３６の水位とは実質的に一致している。
【００５１】
また、通路１３２はその上端部において第２収容部１１２内に開口し、第２収容部１１２内と連通しているので、第２収容部１１２内の尿素水１１０の量にかかわらず、第１収容部１０８内の尿素水１０６の水位が上昇して通路１３２の上端と同じ高さ、即ち図４中に二点鎖線で示すレベルに達するまでは、第１収容部１０８内の尿素水１０６が通路１３２を介して第２収容部１１２内に流入することはない。
【００５２】
従って、尿素水インジェクタ４４の冷却に使用されることによって温度の上昇した尿素水が尿素水タンク１５０に戻され、リターンポート１１８から第１収容部１０８内に流入しても、この尿素水は第１収容部１０８内の尿素水１０６の水位が通路１３２の上端と同じ高さに達するまでの間、第１収容部１０８内に留まる、そしてこの間に、外気と接する第１壁部１０２を介して第１収容部１０８内の尿素水１０６の熱が放出され、尿素水１０６が効果的に冷却される。
【００５３】
また、第１収容部１０８内の尿素水１０６の水位が通路１３２の上端と同じ高さに達した後も、リターンポート１１８から第１収容部１０８内への尿素水の流入が継続すると、第１収容部１０８内で冷却されて通路１３２内に流入した尿素水１３６が、通路１３２の上端から第２収容部１１２内に流入する。従って、通路１３２及び連通孔１３４が本発明の連通部に対応するものとなる。
【００５４】
このとき、第１収容部１０８内の尿素水１０６の水位は高い位置に維持されるので、第１壁部１０２を介した外気中への尿素水１０６の放熱面積が大きく確保されており、引き続き尿素水１０６が効果的に冷却され、こうして冷却された尿素水が通路１３２を介して第２収容部１１２に流入する。
更に、第１収容部１０８内で冷却された尿素水１０６は、温度の低い尿素水ほど密度が高くなって第１収容部１０８の下方に分布することになる。第１収容部１０８内の尿素水１０６は、通路１３２の下端に設けられた連通孔１３４を介して通路１３２に流入した後に第２収容部１１２に流入するので、第１収容部１０８内の尿素水１０６のうち比較的温度の低い尿素水が第２収容部１１２に供給されることになる。
【００５５】
従って、このような構成の尿素水タンク１５０を用いることにより、尿素水タンク１５０内の尿素水の量にかかわらず、尿素水インジェクタ４４から尿素水タンク１５０内に戻された尿素水を効果的に冷却し、尿素水タンク１５０内に貯留された尿素水の過度の温度上昇を防止することが可能となる。この結果、尿素水による尿素水インジェクタ４４の冷却を効果的に行うことが可能となると共に、尿素水の濃縮に伴う適正濃度からの逸脱を防止し、尿素水タンク１５０内でのアンモニアの生成を抑制することが可能となる。更に、尿素水タンク１５０内の尿素水の温度上昇を抑制するべく尿素水の水位が低下する前に頻繁に尿素水を補充する必要がなくなる。
【００５６】
また、第１実施形態の尿素水タンク１５０では、第２壁部１０４によって形成される第２収容部１１２の角部を利用して第２壁部１０４の一部を平板状のカバー部材１３０で覆うことにより、通路１３２を形成するようにしたので、第１収容部１０８と第２収容部１１２とを連通させるための配管などが不要となり、簡単な構造により上述した効果を得ることができる。
【００５７】
なお、上記第１実施形態では、第２壁部１０４の上端を尿素水タンク１５０の上面より低くし、第２収容部１１２を上端で開口した箱状に形成するようにしたが、第２壁部１０４を尿素水タンク１５０の上面まで延設し、尿素水タンク１５０の上面で第２収容部１１２の上方を塞ぐようにしてもよい。この場合も、通路１３２及び連通孔１３４については同様に構成することができる。
【００５８】
また、上記第１実施形態では、第２壁部１０４によって形成される第２収容部１１２の角部をカバー部材１３０で覆って通路１３２を形成するようにしたが、角部以外の第２壁部１０４の内側側面に、例えば断面Ｕ字状のカバー部材を取り付け、このカバー部材と第２壁部１０４とによって上記第１実施形態と同様の通路を形成するようにしてもよい。この場合、カバー部材の上端部を第２壁部１０４の上端より低い位置とすることによって通路を第２収容部１１２内に開口させると共に、通路を形成している第２壁部の下端部に切欠を形成して通路と第１収容部とを連通させる連通孔を設ければよい。
【００５９】
また、上記第１実施形態では、カバー部材１３０の上端を第２壁部１０４の上端より低くすることにより、通路１３２を第２収容部１１２内に開口させるようにしたが、これに代えてカバー部材１３０の上下方向の途中の部分に貫通孔を設けて通路１３２を第２収容部１１２内に開口させるようにしてもよい。
更に、上記第１実施形態では、通路１３２を形成する第２壁部１０４の下端に切欠を設けることによって、第１収容部１０８と通路１３２とを連通するようにしたが、これに代えて通路１３２を形成する第２壁部１０４の上下方向の途中の部分に貫通孔を設け、これを連通孔としてもよい。
【００６０】
なお、これと併せ、上述したようにカバー部材１３０の途中の部分に貫通孔を設けて通路１３２を第２収容部１１２内に開口させる場合には、カバー部材１３０に設ける貫通孔の方が、第２壁部１０４に設ける貫通孔よりも高い位置にあることによって、上述した効果と同様の効果を得ることができる。但し、より効果的に尿素水の冷却を行うためには、通路１３２が上端で第２収容部１１２内に開口すると共に、下端で第１収容部１０８と連通するのが望ましい。
【００６１】
次に、図１における尿素水タンク５０として、図６乃至図９に基づき、本発明の第２実施形態に係る排気浄化装置の尿素水タンク２５０について説明する。
図６は第２実施形態における尿素水タンク２５０の一部を切り欠いて示す概略構成図、図７は図６中のVII−VII線に沿う尿素水タンク２５０の断面図、図８は図７中のVIII−VIII線に沿う尿素水タンク２５０の断面図である。
【００６２】
図６乃至図８に示されるように、尿素水タンク２５０は、尿素水タンク２５０の外殻となる第１壁部２０２によって閉鎖された箱状に形成され、内部に尿素水を貯留するための空間が設けられている。第１壁部２０２の内側には、図７及び図８に示されるように尿素水タンク２５０の底面から筒状の第２壁部２０４が立設されており、尿素水タンク２５０の壁部のうち上下方向に延びる側壁部分が、第１壁部２０２と第２壁部２０４とによって二重壁構造となっている。このように第１壁部２０２の内側に第２壁部２０４を設けることにより、二重壁構造をなす第１壁部２０２と第２壁部２０４との間に尿素水２０６を収容するための第１収容部２０８が形成されると共に、第２壁部２０４を挟んで第１収容部２０８とは反対側となる第２壁部２０４の内側に尿素水２１０を収容するための第２収容部２１２が形成されている。図８に示されるように、第２壁部２０４の上端は尿素水タンク２５０の上面より低い位置にあり、第２収容部２１２は上端が開口した箱状をなしている。
【００６３】
図８に示されるように、尿素水タンク２５０の上面には、第２収容部２１２の上方となる位置に注入口２１４が設けられ、この注入口２１４にはキャップ２１６が装着されている。これら注入口２１４及びキャップ２１６は、前述した第１実施形態における注入口１１４及びキャップ１１６と同様の構造及び機能を有している。
また、尿素水タンク２５０の上面における第１収容部２０８の上方となる位置には、尿素水リターンパイプ４８が接続されたリターンポート（流入部）２１８が設けられ、尿素水インジェクタ４４の冷却に使用された尿素水が、尿素水リターンパイプ４８を通り、リターンポート２１８から尿素水タンク２５０の第１収容部２０８内に流入するようになっている。
【００６４】
一方、尿素水タンク２５０の底面のうち、第１収容部２０８の底面となる部分には、図７及び図８に示されるように、第１ドレインポート２２０が設けられており、第１ドレインコック２２２によって開閉できるようになっている。これら第１ドレインポート２２０及び第１ドレインコック２２２は、前述した第１実施形態における第１ドレインポート１２０及び第１ドレインコック１２２と同様の構造及び機能を有している。
【００６５】
更に、尿素水タンク２５０の底面のうち、第２収容部２１２の底面となる部分には、図６乃至図８に示されるように、サクションポート（流出部）２２４及び第２ドレインポート２２６が設けられている。サクションポート２２４には尿素水供給パイプ４６が接続されており、第２収容部２１２内の尿素水２１０は、サクションポート２２４から流出した後に、尿素水供給ポンプ５２により尿素水供給パイプ４６を通って尿素水インジェクタ４４に供給される。また、第２ドレインポート２２６は、第２ドレインコック２２８によって開閉できるようになっており、これら第２ドレインポート２２６及び第２ドレインコック２２８は、前述した第１実施形態における第２ドレインポート１２６及び第２ドレインコック１２８と同様の構造及び機能を有している。
【００６６】
図７に示されるように、第２収容部２１２には上下方向に延びる４つの角部が第２壁部２０４によって形成されており、これら４つの角部のうちの１つには、１対の平板状の仕切部材２３０が、この角部を間に挟むように互いに離間して第１壁部２０２と第２壁部２０４との間に掛け渡されている。
図９は、尿素水タンク２５０の第２壁部２０４及び仕切部材２３０のみを取り出して示す斜視図であるが、両仕切部材２３０は、図８及び図９に示されるように第１収容部２０８の底面より上方に下端部を有して第２壁部２０４の上端まで延設されており、２つの仕切部材２３０の間に通路（連通路）２３２が形成されている。このように、各仕切部材２３０の下端が第１収容部２０８の底面より上方にあることにより、通路２３２はその下端部の位置（第１位置）において開口し、第１収容部２０８内と連通している。
【００６７】
一方、図６、図８及び図９に示されるように、１対の仕切部材２３０と共に通路２３２を形成している第２壁部２０４の角部の上端部が、１対の仕切部材２３０の間で切り欠かれることにより、開口部２３４が設けられている。このように第２壁部２０４を切り欠いて開口部２３４を設けることにより、通路２３２が第１収容部２０８における開口位置よりも高い位置（第２位置）で開口して第２収容部２１２内に連通している。従って、通路２３２は第１収容部２０８と第２収容部２１２とを連通する連通路となる。
【００６８】
このように構成された尿素水タンク２５０において、尿素水インジェクタ４４から尿素水リターンパイプ４８を介して尿素水タンク２５０に戻された尿素水は、リターンポート２１８から第１収容部２０８内に流入する。このとき、通路２３２はその下端において開口して第１収容部２０８と連通しているので、第１収容部２０８内の尿素水２０６の水位と、通路２３２内の尿素水２３６の水位とは実質的に一致している。
【００６９】
また、通路２３２はその上端において、開口部２３４を介し第２収容部２１２内と連通しているので、第２収容部２１２内の尿素水２１０の量にかかわらず、第１収容部２０８内の尿素水２０６の水位が上昇して開口部２３４の下端と同じ高さ、即ち図８中に二点鎖線で示すレベルに達するまでは、第１収容部２０８内の尿素水２０６が通路２３２を介して第２収容部２１２内に流入することはない。
【００７０】
従って、尿素水インジェクタ４４の冷却に使用されることによって温度の上昇した尿素水が尿素水タンク２５０に戻され、リターンポート２１８から第１収容部２０８内に流入しても、この尿素水は第１収容部２０８内の尿素水２０６の水位が開口部２３４の下端と同じ高さに達するまでの間、第１収容部２０８内に留まる。そしてこの間に、外気と接する第１壁部２０２を介して第１収容部２０８内の尿素水２０６の熱が放出され、尿素水２０６が効果的に冷却される。
【００７１】
また、第１収容部２０８内における尿素水２０６の水位が開口部２３４の下端と同じ高さに達した後も、リターンポート２１８から第１収容部２０８内への尿素水の流入が継続すると、第１収容部１０８内で冷却されて通路１３２内に流入した尿素水１３６が開口部２３４を介して第２収容部２１２内に流入する。従って、通路２３２及び開口部２３４が本発明の連通部に対応するものとなる。
【００７２】
このとき、第１収容部２０８内の尿素水２０６の水位は高い位置に維持されるので、第１壁部２０２を介した外気中への尿素水２０６の放熱面積が大きく確保されており、引き続き尿素水２０６が効果的に冷却され、こうして冷却された尿素水が通路２３２を介して第２収容部２１２に流入する。
更に、第１収容部２０８内で冷却された尿素水２０６は、温度の低い尿素水ほど密度が高くなって第１収容部２０８の下方に分布することになる。第１収容部２０８内の尿素水２０６は、通路２３２の下端から通路２３２に流入した後に第２収容部２１２に流入するので、第１収容部２０８内の尿素水２０６のうち比較的温度の低い尿素水が第２収容部２１２に供給されることになる。
【００７３】
従って、このような構成の尿素水タンク２５０を用いることにより、尿素水タンク２５０内の尿素水の量にかかわらず、尿素水インジェクタ４４から尿素水タンク２５０内に戻された尿素水を効果的に冷却し、尿素水タンク２５０内に貯留された尿素水の過度の温度上昇を防止することが可能となる。この結果、尿素水による尿素水インジェクタ４４の冷却を効果的に行うことが可能となると共に、尿素水の濃縮に伴う適正濃度からの逸脱を防止し、尿素水タンク２５０内でのアンモニアの生成を抑制することが可能となる。更に、尿素水タンク２５０内の尿素水の温度上昇を抑制するべく尿素水の水位が低下する前に頻繁に尿素水を補充する必要がなくなる。
【００７４】
また、第２実施形態の尿素水タンク２５０では、１対の仕切部材２３０をそれぞれ第１壁部２０２と第２壁部２０４との間に掛け渡すことにより、通路１３２を形成するようにしたので、第１収容部２０８と第２収容部２１２とを連通させるための配管などが不要となり、簡単な構造により上述した効果を得ることができる。
なお、上記第２実施形態では、第２壁部２０４の上端を尿素水タンク２５０の上面より低くし、第２収容部２１２を上端で開口した箱状に形成するようにしたが、第２壁部２０４を尿素水タンク２５０の上面まで延設し、尿素水タンク２５０の上面で第２収容部２１２の上方を塞ぐようにしてもよい。この場合も、通路２３２及び開口部１３４については同様に構成することができる。
【００７５】
また、上記第２実施形態では、第２壁部２０４によって形成される第２収容部２１２の角部を１対の仕切部材２３０で挟むようにして通路２３２を形成したが、角部以外の第２壁部２０４と第１壁部２０２との間に１対の仕切部材を互いに離間して掛け渡し、上記第２実施形態の通路２３２と同様の通路を形成するようにしてもよい。この場合、各仕切部材の下端を第１収容部２０８の下面より上方とすることによって通路を第１収容部２０８内に開口させると共に、通路を形成している第２壁部の上端部に切欠を形成して通路と第２収容部２１２とを連通させる開口部を設ければよい。
【００７６】
また、上記第２実施形態では、各仕切部材２３０の下端を第１収容部２０８の底面より上方とすることにより、通路２３２を第１収容部２０８内に開口させるようにしたが、これに代えて仕切部材２３０の上下方向の途中の部分に貫通孔を設けて通路２３２を第１収容部２０８内に開口させるようにしてもよい。
更に、上記第２実施形態では、通路２３２を形成する第２壁部２０４の上端に切欠を形成して開口部２３４を設けることにより、第２収容部２１２内と通路２３２とを連通するようにしたが、これに代えて通路２３２を形成する第２壁部２０４の上下方向の途中の部分に貫通孔を設け、これを開口部としてもよい。
【００７７】
なお、これと併せ、上述したように仕切部材１３０の途中の部分に貫通孔を設けて通路２３２を第１収容部２０８内に開口させる場合には、仕切部材１３０に設ける貫通孔の方が、第２壁部２０４に設ける貫通孔よりも低い位置にあることによって、上述した効果と同様の効果を得ることができる。但し、より効果的に尿素水の冷却を行うためには、開口部２３４が通路２３２の上端に設けられると共に、通路２３２が下端で第１収容部２０８と連通するのが望ましい。
【００７８】
また、上記第２実施形態では、１対の仕切部材２３０の下端をいずれも第１収容部２０８の底面より上方とすることにより、通路２３２を第１収容部２０８内に開口させるようにしたが、１対の仕切部材２３０のいずれか一方のみについて、その下端を第１収容部２０８の底面より上方とすることにより、通路２３２を第１収容部２０８内に開口させるようにしてもよい。
【００７９】
次に、図１における尿素水タンク５０として、図１０乃至図１２に基づき、本発明の第３実施形態に係る排気浄化装置の尿素水タンク３５０について説明する。
図１０は尿素水タンク３５０の上下方向中間部分における水平方向の断面図、図１１は図１０中のXI−XI線に沿う尿素水タンク３５０の断面図である。
図１０及び図１１に示されるように、尿素水タンク３５０は、尿素水タンク３５０の外殻となる第１壁部３０２によって閉鎖された箱状に形成され、内部に尿素水を貯留するための空間が設けられている。第１壁部３０２の内側には、図１１に示されるように尿素水タンク３５０の底面から筒状の第２壁部３０４が立設されており、尿素水タンク３５０の壁部のうち上下方向に延びる側壁部分が、第１壁部３０２と第２壁部３０４とによって二重壁構造となっている。このように第１壁部３０２の内側に第２壁部３０４を設けることにより、二重壁構造をなす第１壁部３０２と第２壁部３０４との間に尿素水３０６を収容するための第１収容部３０８が形成されると共に、第２壁部３０４を挟んで第１収容部３０８とは反対側となる第２壁部３０４の内側に尿素水３１０を収容するための第２収容部３１２が形成されている。図１１に示されるように、第２壁部３０４の上端は尿素水タンク３５０の上面より低い位置にあり、第２収容部３１２は上端が開口した箱状をなしている。
【００８０】
図１１に示されるように、尿素水タンク３５０の上面には、第２収容部３１２の上方となる位置に注入口３１４が設けられ、この注入口３１４にはキャップ３１６が装着されている。これら注入口３１４及びキャップ３１６は、前述した第１実施形態における注入口１１４及びキャップ１１６と同様の構造及び機能を有している。
また、尿素水タンク３５０の上面における第１収容部３０８の上方となる位置には、尿素水リターンパイプ４８が接続されたリターンポート（流入部）３１８が設けられ、尿素水インジェクタ４４の冷却に使用された尿素水が、尿素水リターンパイプ４８を通り、リターンポート３１８から尿素水タンク３５０の第１収容部３０８内に流入するようになっている。
【００８１】
一方、尿素水タンク３５０の底面のうち、第１収容部３０８の底面となる部分には、図１０及び図１１に示されるように、第１ドレインポート３２０が設けられており、第１ドレインコック３２２によって開閉できるようになっている。これら第１ドレインポート３２０及び第１ドレインコック３２２は、前述した第１実施形態における第１ドレインポート１２０及び第１ドレインコック１２２と同様の構造及び機能を有している。
【００８２】
更に、尿素水タンク３５０の底面のうち、第２収容部３１２の底面となる部分には、図１０及び図１１に示されるように、サクションポート（流出部）３２４及び第２ドレインポート３２６が設けられている。サクションポート３２４には尿素水供給パイプ４６が接続されており、第２収容部３１２内の尿素水３１０は、サクションポート３２４から流出した後に、尿素水供給ポンプ５２により尿素水供給パイプ４６を通って尿素水インジェクタ４４に供給される。また、第２ドレインポート３２６は、第２ドレインコック３２８によって開閉できるようになっており、これら第２ドレインポート３２６及び第２ドレインコック３２８は、前述した第１実施形態における第２ドレインポート１２６及び第２ドレインコック１２８と同様の構造及び機能を有している。
【００８３】
図１０に示されるように、第２収容部３１２は第２壁部３０４によって水平断面が四角形状に形成されている。図１２は、尿素水タンク３５０の第２壁部３０４のみを取り出して示す斜視図であるが、図１１及び図１２に示されるように、水平断面が四角形状をなす第２収容部３１２の４つの側面のうちの１つをなす第２壁部３０４の上端には切欠３３０が形成されている。
【００８４】
このように構成された尿素水タンク３５０において、尿素水インジェクタ４４から尿素水リターンパイプ４８を介して尿素水タンク３５０に戻された尿素水は、リターンポート３１８から第１収容部３０８内に流入する。第１収容部３０８と第２収容部３１２とは、第２収容部３１２を形成する第２壁部３０４によって隔てられているので、第２収容部３１２内の尿素水３１０の量にかかわらず、第１収容部３０８内の尿素水３０６の水位が上昇して第２壁部３０４の上端に形成された切欠３３０の下端と同じ高さ、即ち図１１中に二点鎖線で示すレベルに達するまでは、第１収容部３０８内の尿素水３０６が切欠３３０を介して第２収容部３１２内に流入することはない。
【００８５】
従って、尿素水インジェクタ４４の冷却に使用されることによって温度の上昇した尿素水が尿素水タンク３５０に戻され、リターンポート３１８から第１収容部３０８内に流入しても、この尿素水は第１収容部３０８内の尿素水３０６の水位が切欠３３０の下端と同じ高さに達するまでの間、第１収容部３０８内に留まる。そしてこの間に、外気と接する第１壁部３０２を介して第１収容部３０８内の尿素水３０６の熱が放出され、尿素水３０６が効果的に冷却される。
【００８６】
また、第１収容部３０８内における尿素水３０６の水位が切欠３３０の下端と同じ高さに達した後も、リターンポート３１８から第１収容部３０８内への尿素水の流入が継続すると、切欠３３０を介して第１収容部３０８内の尿素水３０６が第２収容部３１２内に流入する。従って、切欠３３０が本発明の連通部に対応するものとなる。
このとき、第１収容部３０８内の尿素水３０６の水位は高い位置に維持されるので、第１壁部３０２を介した外気中への尿素水３０６の放熱面積が大きく確保されており、引き続き尿素水３０６が効果的に冷却される。なお、リターンポート３１８から第１収容部３０８内に流入した尿素水は、慣性により一旦第１収容部３０８内の下方に流動するので、第１壁部３０２を介した外気中への放熱により効果的に冷却される。こうして第１収容部３０８内で冷却された尿素水が切欠３３０を介して第２収容部３１２に流入する。
【００８７】
従って、このような構成の尿素水タンク３５０を用いることにより、尿素水タンク３５０内の尿素水の量にかかわらず、尿素水インジェクタ４４から尿素水タンク３５０内に戻された尿素水を効果的に冷却し、尿素水タンク３５０内に貯留された尿素水の過度の温度上昇を防止することが可能となる。この結果、尿素水による尿素水インジェクタ４４の冷却を効果的に行うことが可能となると共に、尿素水の濃縮に伴う適正濃度からの逸脱を防止し、尿素水タンク３５０内でのアンモニアの生成を抑制することが可能となる。更に、尿素水タンク３５０内の尿素水の温度上昇を抑制するべく尿素水の水位が低下する前に頻繁に尿素水を補充する必要がなくなる。
【００８８】
また、第３実施形態の尿素水タンク３５０では、第２収容部３１２を形成する第２壁部３０４の上端に切欠３３０を設けるだけでよいので、第１収容部３０８と第２収容部３１２とを連通させるための配管などが不要となり、極めて簡単な構造により上述した効果を得ることができる。しかも、前述した第１実施形態のように第２収容部１１２の一部を使用して通路１３２を形成したり、第２実施形態のように第１収容部２０８の一部を使用して通路２３２を形成したりする必要がないため、第１収容部３０８及び第２収容部３１２を尿素水の冷却及び貯留に最大限有効活用することができる。
【００８９】
なお、上記第３実施形態では、第２壁部３０４の上端を尿素水タンク３５０の上面より低くし、第２収容部３１２を上端で開口した箱状に形成するようにしたが、第２壁部３０４を尿素水タンク３５０の上面まで延設し、尿素水タンク３５０の上面で第２収容部３１２の上方を塞ぐようにしてもよい。この場合も、第２収容部３１２を形成する第２壁部３０４の上端に同様の切欠を設ければよい。
【００９０】
また、上記第３実施形態では、水平断面が四角形状をなす第２収容部３１２の４つの側面のうちの１つをなす第２壁部３０４の上端の一部に切欠３３０を形成したが、１つの側面の上端全体にわたって切欠を設けるようにしてもよいし、複数の側面の上端に切欠を設けてもよい。更に、上記第３実施形態のように単一の切欠３３０ではなく、複数の切欠を設けるようにしてもよい。
【００９１】
また、上記第３実施形態では、上述のように第２壁部３０４の上端に切欠３３０を形成することにより、第１収容部３０８内の尿素水３０６を第２収容部３１２内に流入させるようにしたが、これに代えて第２壁部３０４の上下方向の途中の部分に貫通孔を設けて第１収容部３０８内の尿素水３０６を第２収容部３１２内に流入させるようにしてもよい。但し、より効果的な尿素水の冷却を行うためには、切欠３３０を第２壁部３０４の上端に設けるようにするのが望ましい。
【００９２】
次に、図１における尿素水タンク５０として、図１３乃至図１５に基づき、本発明の第４実施形態に係る排気浄化装置の尿素水タンク４５０について説明する。
図１３は尿素水タンク４５０の上下方向中間部分における水平方向の断面図、図１４は図１３中のXIV−XIV線に沿う尿素水タンク４５０の断面図である。
図１３及び図１４に示されるように、尿素水タンク４５０は、尿素水タンク４５０の外殻となる第１壁部４０２によって閉鎖された箱状に形成され、内部に尿素水を貯留するための空間が設けられている。第１壁部４０２の内側には、上方が開口すると共に底面を有した箱状の第２壁部４０４が設けられており、４つのスペーサ４０４ａを介して尿素水タンク４５０の底面上方に支持されている。従って、尿素水タンク４５０の壁部のうち上下方向に延びる側壁部分と底面部分とが、第１壁部４０２と第２壁部４０４とによって二重壁構造となっている。このように第１壁部４０２の内側に第２壁部４０４を設けることにより、二重壁構造をなす第１壁部４０２と第２壁部４０４との間に尿素水４０６を収容するための第１収容部４０８が形成されると共に、第２壁部４０４を挟んで第１収容部４０８とは反対側となる第２壁部４０４の内側に尿素水４１０を収容するための第２収容部４１２が形成されている。上述したように、第２収容部４１２は第２壁部４０４によって上端が開口した箱状をなしており、図１４に示されるように、第２壁部４０４の上端は尿素水タンク４５０の上面より低い位置にある。
【００９３】
図１４に示されるように、尿素水タンク４５０の上面には、第２収容部４１２の上方となる位置に注入口４１４が設けられ、この注入口４１４にはキャップ４１６が装着されている。これら注入口４１４及びキャップ４１６は、前述した第１実施形態における注入口１１４及びキャップ１１６と同様の構造及び機能を有している。
また、尿素水タンク４５０の上面における第１収容部４０８の上方となる位置には、尿素水リターンパイプ４８が接続されたリターンポート（流入部）４１８が設けられ、尿素水インジェクタ４４の冷却に使用された尿素水が、尿素水リターンパイプ４８を通り、リターンポート４１８から尿素水タンク４５０の第１収容部４０８内に流入するようになっている。
【００９４】
一方、第１壁部４０２のうち第１収容部４０８の底面となる部分には、図１３及び図１４に示されるように、第１ドレインポート４２０が設けられており、第１ドレインコック４２２によって開閉できるようになっている。これら第１ドレインポート４２０及び第１ドレインコック４２２は、前述した第１実施形態における第１ドレインポート１２０及び第１ドレインコック１２２と同様の構造及び機能を有している。
【００９５】
更に、第２壁部４０４のうち、第２収容部４１２の底面となる部分には、図１３及び図１４に示されるように、サクションポート（流出部）４２４及び第２ドレインポート４２６が設けられている。これらサクションポート４２４及び第２ドレインポート４２６は、第１収容部４０８の底面を形成する第１壁部４０２を貫通して尿素水タンク４５０の外方に突出している。サクションポート４２４には尿素水供給パイプ４６が接続されており、第２収容部４１２内の尿素水４１０は、サクションポート４２４から流出した後に、尿素水供給ポンプ５２により尿素水供給パイプ４６を通って尿素水インジェクタ４４に供給される。また、第２ドレインポート４２６は、尿素水タンク４５０の外方に設けられた第２ドレインコック４２８によって開閉できるようになっている。第２ドレインポート４２６の機能、並びに第２ドレインコック４２８の構造及び機能は、それぞれ前述した第１実施形態における第２ドレインポート１２６及び第２ドレインコック１２８と同様である。
【００９６】
第２壁部４０４によって形成される第２収容部４１２は、上述したように第２壁部４０４によって形成された底面を有する点を除き、前述した第３実施形態における第２収容部３１２と実質的に同様の形状をなしている。即ち、図１３に示されるように第２収容部４１２は、第２壁部４０４によって水平断面が四角形状に形成されている。図１５は、尿素水タンク４５０の第２壁部４０４のみを取り出して示す斜視図であるが、図１４及び図１５に示されるように、水平断面が四角形状をなす第２収容部４１２の４つの側面のうちの１つをなす第２壁部４０４の上端には切欠４３０が形成されている。
【００９７】
このように構成された尿素水タンク４５０において、尿素水インジェクタ４４から尿素水リターンパイプ４８を介して尿素水タンク４５０に戻された尿素水は、リターンポート４１８から第１収容部４０８内に流入する。第１収容部４０８と第２収容部４１２とは、第２収容部４１２を形成する第２壁部４０４によって隔てられているので、第２収容部４１２内の尿素水４１０の量にかかわらず、第１収容部４０８内の尿素水４０６の水位が上昇して第２壁部４０４の上端に形成された切欠４３０の下端と同じ高さ、即ち図１４中に二点鎖線で示すレベルに達するまでは、第１収容部４０８内の尿素水４０６が切欠４３０を介して第２収容部４１２内に流入することはない。
【００９８】
従って、尿素水インジェクタ４４の冷却に使用されることによって温度の上昇した尿素水が尿素水タンク４５０に戻され、リターンポート４１８から第１収容部４０８内に流入しても、この尿素水は第１収容部４０８内の尿素水４０６の水位が切欠４３０の下端と同じ高さに達するまでの間、第１収容部４０８内に留まる。そしてこの間に、外気と接する第１壁部４０２を介して第１収容部４０８内の尿素水４０６の熱が放出され、尿素水４０６が効果的に冷却される。
【００９９】
また、第１収容部４０８内における尿素水４０６の水位が切欠４３０の下端と同じ高さに達した後も、リターンポート４１８から第１収容部４０８内への尿素水の流入が継続すると、切欠４３０を介して第１収容部４０８内の尿素水４０６が第２収容部４１２内に流入する。従って、切欠４３０が本発明の連通部に対応するものとなる。
このとき、第１収容部４０８内の尿素水４０６の水位は高い位置に維持されるので、第１壁部４０２を介した外気中への尿素水４０６の放熱面積が大きく確保されており、引き続き尿素水４０６が効果的に冷却される。なお、リターンポート４１８から第１収容部４０８内に流入した尿素水は、慣性により一旦第１収容部４０８内の下方に流動するので、第１壁部４０２を介した外気中への放熱により効果的に冷却される。こうして第１収容部４０８内で冷却された尿素水が切欠４３０を介して第２収容部４１２に流入する。
【０１００】
従って、このような構成の尿素水タンク４５０を用いることにより、尿素水タンク４５０内の尿素水の量にかかわらず、尿素水インジェクタ４４から尿素水タンク４５０内に戻された尿素水を効果的に冷却し、尿素水タンク４５０内に貯留された尿素水の過度の温度上昇を防止することが可能となる。この結果、尿素水による尿素水インジェクタ４４の冷却を効果的に行うことが可能となると共に、尿素水の濃縮に伴う適正濃度からの逸脱を防止し、尿素水タンク４５０内でのアンモニアの生成を抑制することが可能となる。更に、尿素水タンク４５０内の尿素水の温度上昇を抑制するべく尿素水の水位が低下する前に頻繁に尿素水を補充する必要がなくなる。
【０１０１】
また、第４実施形態の尿素水タンク４５０では、第２収容部４１２を形成する第２壁部４０４の上端に切欠４３０を設けるだけでよいので、第１収容部４０８と第２収容部４１２とを連通させるための配管などが不要となり、簡単な構造により上述した効果を得ることができる。しかも、前述した第１実施形態のように第２収容部１１２の一部を使用して通路１３２を形成したり、第２実施形態のように第１収容部２０８の一部を使用して通路２３２を形成したりする必要がないため、第１収容部４０８及び第２収容部４１２を尿素水の冷却及び貯留に最大限有効活用することができる。
【０１０２】
更に、第４実施形態の尿素水タンク４５０では、第２壁部４０４によって形成された第２収容部４１２の底面を、スペーサ４０４ａにより第１収容部４０８の底面から上方に離間させて、尿素水タンク４５０の底面も二重壁構造としているので、第１壁部４０２と第１収容部４０８内の尿素水４０６との接触面積をより大きく確保することができ、尿素水の冷却を一層効果的に行うことができる。
【０１０３】
なお、上記第４実施形態では、第２壁部４０４の上端を尿素水タンク４５０の上面より低くし、第２収容部４１２を上端で開口した箱状に形成するようにしたが、第２壁部４０４を尿素水タンク４５０の上面まで延設し、尿素水タンク４５０の上面で第２収容部４１２の上方を塞ぐようにしてもよい。この場合も、第２収容部４１２を形成する第２壁部４０４の上端に同様の切欠を設ければよい。
【０１０４】
また、上記第４実施形態では、水平断面が四角形状をなす第２収容部４１２の４つの側面のうちの１つをなす第２壁部４０４の上端の一部に切欠４３０を形成したが、１つの側面の上端全体にわたって切欠を設けるようにしてもよいし、複数の側面の上端に切欠を設けてもよい。更に、上記第４実施形態のように単一の切欠４３０ではなく、複数の切欠を設けるようにしてもよい。
【０１０５】
また、上記第４実施形態では、上述のように第２壁部４０４の上端に切欠４３０を形成することにより、第１収容部４０８内の尿素水４０６を第２収容部４１２内に流入させるようにしたが、これに代えて第２壁部４０４の上下方向の途中の部分に貫通孔を設けて第１収容部４０８内の尿素水４０６を第２収容部４１２内に流入させるようにしてもよい。但し、より効果的な尿素水の冷却を行うためには、切欠４３０を第２壁部４０４の上端に設けるようにするのが望ましい。
【０１０６】
以上で本発明の実施形態に係る排気浄化装置についての説明を終えるが、本発明は上述した第１乃至第４実施形態に限定されるものではない。
例えば、上記第１乃至第３実施形態では、第２壁部を尿素水タンクの底面から立設し、第１壁部によって第２収容部の底面を形成するようにしたが、第４実施形態と同様に第２壁部によって底面を有した箱状の第２収容部を形成し、スペーサにより第２収容部を第１収容部の底面から上方に離間させるようにしてもよい。但し、上記第１乃至第３実施形態のように、第１壁部によって第２収容部の底面を形成するようにした場合には、サクションポート及び第２ドレインポートを直接第２収容部の底面をなす第１壁部に設けることができるので、構造が簡単になると共にシール部材などを設ける必要がなくなるほか、第２収容部の容積を比較的大きく確保することができる。
【０１０７】
また、上記第１乃至第４実施形態では、尿素水タンクの側面部分の全周にわたって第１壁部と第２壁部とからなる二重壁構造としたが、全周を二重壁構造としなくてもよい。即ち、第２収容部を形成する第２壁部の水平断面形状を例えばコ字状或いはＬ字状とし、このような第２壁部と第１壁部との組み合わせにより第２収容部を形成して、第２収容部の側壁の一部を第１壁部で構成することにより、尿素水タンクの側面部分の一部のみを二重壁構造としてもよい。この場合には、二重壁構造となっている部分において、上記第１乃至第４実施形態と同様の構造を適用すればよい。但し、尿素水の冷却を効果的に行うためには、第１乃至第４実施形態のように尿素水タンクの側面部分の全周にわたり、第１壁部と第２壁部とからなる二重壁構造として第１収容部を形成するのが望ましい。
【０１０８】
また、上記第３及び第４実施形態では、第２壁部の上端の一部に切欠を形成し、この切欠を介して第１収容部内の尿素水を第２収容部に流入させるようにしたが、このような切欠を省略してもよい。この場合、リターンポートから第１収容部に尿素水が流入し、第１収容部内の尿素水の水位が第２壁部の上端に達した後も、第１収容部内に尿素水が流入を継続すると、第１収容部内の尿素水が第２壁部の上端から第２収容部内に流入する。従って、この場合には第２壁部の上端部が本発明の連通部に対応するものとなる。
【０１０９】
このように切欠を省略した場合にも、上記第３及び第４実施形態と同様に、第１収容部内の尿素水の水位が第２壁部の上端に達するまでの間に、外気と接する第１壁部を介して第１収容部内の尿素水の熱が放出され、尿素水が効果的に冷却される。そして、第１収容部内の尿素水が第２壁部の上端から第２収容部内に流入するようになっても、リターンポートから流入する尿素水は慣性により一旦第１収容部内の下方に入り込むので、第２壁部の上端から第２収容部内に流入するまでの間に、第１壁部からの放熱によって効果的に冷却される。なお、このとき第１収容部から第２収容部内に流入する尿素水の位置を特定するために、第２壁部の上端を全周にわたって同じ高さとせずに、少なくともその一部において連続的に高さを異ならせるようにしてもよい。
【０１１０】
また、第１収容部から第２収容部に尿素水を流入させるための連通部として、第２壁部を用いずに別途パイプ状の流路を設けるようにしてもよい。この場合、このパイプ状流路は第１収容部の下端側で第１収容部内に開口すると共に、第１収容部内での開口位置より高い位置で第２収容部内に開口しているのが好ましい。
また、上記第１乃至第４実施形態では、第１壁部によって形成される尿素水タンクの外形及び第２壁部によって形成される第２収容部の外形を、いずれも直方体状としたが、これらの形状を任意に変更することが可能であって、本発明の構成に必要とされる条件を逸脱しない限りにおいて様々な形状を適用することが可能である。
【０１１１】
更に、第１壁部と第２壁部との間隔については、必要に応じて種々変更することが可能である。即ち、上記第１乃至第４実施形態においては尿素水タンクの構成を明確に示すために、第１壁部に対し比較的大きな間隔で第２壁部を配置するようにしたが、より小さい間隔で第１壁部に対して第２壁部を配置するようにしてもよいし、逆に更に大きい間隔で第１壁部に対して第２壁部を配置するようにしてもよい。更にまた、第１壁部と第２壁部との間隔を均一とせずに位置に応じて変更するようにしてもよい。
【０１１２】
また、図１に示された尿素水タンク５０以外の排気浄化装置についても様々な変更が可能であり、例えば、圧縮空気と共に尿素水を排気中に噴射するようにした尿素水インジェクタを用いる場合であっても、尿素水の一部を尿素水インジェクタから尿素水タンクに戻すようにする場合には、同様に本願発明を適用することが可能である。
また、上記実施形態では、上流側ケーシング３０内に前段酸化触媒３６とフィルタ３８を収容すると共に、下流側ケーシング３４内にＳＣＲ触媒４０と後段酸化触媒４２を収容して排気後処理装置２８を構成するようにしたが、排気後処理装置２８の構成はこれに限定されるものではない。即ち、排気後処理装置２８としては、ＳＣＲ触媒４０と、このＳＣＲ触媒４０の上流側に設けられた尿素水インジェクタ４４とを備えていればよい。
【０１１３】
更に、上記実施形態では、エンジン１を４気筒のディーゼルエンジンとしたが、エンジン１の気筒数及び形式は、これに限定されるものではない。
【図面の簡単な説明】
【０１１４】
【図１】本発明の実施形態に係る排気浄化装置が適用されたエンジンの全体構成図である。
【図２】本発明の第１実施形態に係る排気浄化装置における尿素水タンクの一部を切り欠いて示す概略構成図である。
【図３】図２中のIII−III線に沿う尿素水タンクの断面図である。
【図４】図３中のIV−IV線に沿う尿素水タンクの断面図である。
【図５】図２の尿素水タンクの第２壁部及びカバー部材を示す斜視図である。
【図６】本発明の第２実施形態に係る排気浄化装置における尿素水タンクの一部を切り欠いて示す概略構成図である。
【図７】図６中のVII−VII線に沿う尿素水タンクの断面図である。
【図８】図７中のVIII−VIII線に沿う尿素水タンクの断面図である。
【図９】図６の尿素水タンクの第２壁部及び仕切部材を示す斜視図である。
【図１０】本発明の第３実施形態に係る排気浄化装置における尿素水タンクの上下方向中間部分における水平方向の断面図である。
【図１１】図１０中のXI−XI線に沿う尿素水タンクの断面図である。
【図１２】図１１の尿素水タンクの第２壁部を示す斜視図である。
【図１３】本発明の第４実施形態に係る排気浄化装置における尿素水タンクの上下方向中間部分における水平方向の断面図である。
【図１４】図１３中のXIV−XIV線に沿う尿素水タンクの断面図である。
【図１５】図１４の尿素水タンクの第２壁部を示す斜視図である。
【符号の説明】
【０１１５】
１  エンジン
３０  上流側ケーシング（排気通路）
３２  排気連通路（排気通路）
３４  下流側ケーシング（排気通路）
４０  ＳＣＲ触媒（アンモニア選択還元型ＮＯｘ触媒）
４４  尿素水インジェクタ
５０，１５０，２５０，３５０，４５０  尿素水タンク
１０２，２０２，３０２，４０２  第１壁部
１０４，２０４，３０４，４０４  第２壁部
１０６，２０６，３０６，４０６  尿素水
１０８，２０８，３０８，４０８  第１収容部
１１０，２１０，３１０，４１０  尿素水
１１２，２１２，３１２，４１２  第２収容部
１１８，２１８，３１８，４１８  リターンポート（流入部）
１２４，２２４，３２４，４２４  サクションポート（流出部）
１３０  カバー部材
１３２，２３２  通路（連通路）
１３４  連通孔
１３６，２３６  尿素水
２３０  仕切部材
２３４  開口部
３３０，４３０  切欠（連通部）
【図１】
0004855432.tif 000002
【図２】
0004855432.tif 000003
【図３】
0004855432.tif 000004
【図４】
0004855432.tif 000005
【図５】
0004855432.tif 000006
【図６】
0004855432.tif 000007
【図７】
0004855432.tif 000008
【図８】
0004855432.tif 000009
【図９】
0004855432.tif 000010
【図１０】
0004855432.tif 000011
【図１１】
0004855432.tif 000012
【図１２】
0004855432.tif 000013
【図１３】
0004855432.tif 000014
【図１４】
0004855432.tif 000015
【図１５】
0004855432.tif 000016